(57)【要約】      （修正有）【課題】発光部の位置合わせが容易で、炎感知器の着脱作業を行わずに炎感知器の監視領域を確認することができる視野確認器を提供する。【解決手段】視野確認器１００は、炎感知器の監視領域を光線で照射して確認するものであって、監視領域を照射する直線的な光線を発する発光部１０と、発光部１０を回動可能に支持するブラケット２０と、ブラケット２０が回転可能に設けられるとともに、炎感知器に着脱可能に取り付けられるベースプレート３０とを備える。視野確認器には、ブラケット２０の回転中心軸Ｒ１は監視領域の中心と一致するとともに、発光部１０の回動中心軸Ｒ２はブラケット２０の回転中心軸Ｒ１とは異なる方向に延び、ブラケット２０と発光部１０との間には、炎感知器の監視角度に応じた向きに発光部１０を仮止めする仮止め機構としての凹部及び第一プランジャが設けられる。【選択図】図１２
2019133554.tif 000002
【特許請求の範囲】
【請求項１】
炎感知器の監視領域を光線で照射して確認する視野確認器であって、
前記監視領域を照射する直線的な光線を発する発光部と、
前記発光部を回動可能に支持するブラケットと、
前記ブラケットが回転可能に設けられるとともに、前記炎感知器に着脱可能に取り付けられる基部とを備え、
前記ブラケットの回転中心軸は前記炎感知器の監視領域の中心と一致するとともに、前記発光部の回動中心軸は前記ブラケットの前記回転中心軸とは異なる方向に延び、
前記ブラケットと前記発光部との間には、前記炎感知器の監視角度に応じた向きに前記発光部を仮止めする仮止め機構が設けられる視野確認器。
【請求項２】
前記仮止め機構は、
前記炎感知器の監視角度に応じて前記ブラケットに形成される凹部と、
前記発光部に設けられ、前記ブラケットに対して付勢されるとともに前記凹部に係合可能なプランジャとを有する請求項１に記載の視野確認器。
【発明の詳細な説明】
【技術分野】
【０００１】
この発明は、視野確認器に関し、特に炎感知器の監視領域を確認するための視野確認器に関する。
【背景技術】
【０００２】
炎から放射される赤外線の光を感知する炎感知器は、天井や壁に取り付けられて所定の領域を監視する。従来、炎感知器の監視領域の位置を確認するために、特許文献１のように、炎感知器の取り付け位置に一時的に取り付けた確認装置のレーザポインタで、炎感知器の監視領域を照射するという方法が採られていた。なお、特許文献１の確認装置ではレーザポインタの俯仰角度調整を行って炎感知器の視野角度に応じてレーザポインタを傾斜させることができる。
【先行技術文献】
【特許文献】
【０００３】
【特許文献１】特開２００２−８３３７９号公報
【発明の概要】
【発明が解決しようとする課題】
【０００４】
しかしながら、特許文献１の確認装置ではレーザポインタの俯仰角度調整を行うことができるものの、細かい角度目盛を目視しながらレーザポインタの傾斜角度を正確に位置合わせすることは実際には困難である。
また、特許文献１の確認装置を用いて炎感知器の監視領域を確認する場合、炎感知器を一旦取り外して確認装置を取り付け、監視領域の確認後に再び炎感知器を取り付け直さなくてはならず手間がかかっていた。
【０００５】
この発明は、このような問題を解決するためになされ、発光部の位置合わせが容易で、炎感知器の着脱作業を行わずに炎感知器の監視領域を確認することができる視野確認器を提供することを目的とする。
【課題を解決するための手段】
【０００６】
上記の課題を解決するために、この発明に係る視野確認器は、炎感知器の監視領域を光線で照射して確認するものであって、監視領域を照射する直線的な光線を発する発光部と、発光部を回動可能に支持するブラケットと、ブラケットが回転可能に設けられるとともに、炎感知器に着脱可能に取り付けられる基部とを備え、ブラケットの回転中心軸は炎感知器の監視領域の中心と一致するとともに、発光部の回動中心軸はブラケットの回転中心軸とは異なる方向に延び、ブラケットと発光部との間には、炎感知器の監視角度に応じた向きに発光部を仮止めする仮止め機構が設けられる。  
【０００７】
この発明に係る視野確認器の仮止め機構は、炎感知器の監視角度に応じてブラケットに形成される凹部と、発光部に設けられ、ブラケットに対して付勢されるとともに凹部に係合可能なプランジャとを有してもよい。
【発明の効果】
【０００８】
この発明に係る視野確認器によれば、発光部の位置合わせが容易で、炎感知器の着脱作業を行わずに炎感知器の監視領域を確認することができる。
【図面の簡単な説明】
【０００９】
【図１】この発明の実施の形態１に係る視野確認器を示す斜視図である。
【図２】図１に示す視野確認器の正面図である。
【図３】図１に示す視野確認器の背面図である。
【図４】図１に示す視野確認器の側面図である。
【図５】図１に示す視野確認器の平面図である。
【図６】図１に示す視野確認器の底面図である。
【図７】図２に示す視野確認器を切断線Ａ−Ａで切断した状態を示す断面図である。
【図８】図１に示す視野確認器のブラケットを示す斜視図である。
【図９】図９（ａ）は、図１に示す視野確認器のブラケットの平面図であり、図９（ｂ）は、図９（ａ）に示すブラケットを切断線Ｂ−Ｂで切断した状態を示す断面図であり、図９（ｃ）は、図９（ａ）に示すブラケットを切断線Ｃ−Ｃで切断した状態を示す断面図である。
【図１０】図１に示す視野確認器のベースプレートを示す斜視図である。
【図１１】図１１（ａ）は、図１に示す視野確認器のベースプレートの平面図であり、図１１（ｂ）は、図１１（ａ）に示すベースプレートを切断線Ｄ−Ｄで切断した状態を示す断面図である。
【図１２】図１に示す視野確認器の発光部をブラケットに対して回動させ、仮止めした状態を示す斜視図である。
【図１３】図１３（ａ）は炎感知器を示す斜視図であり、図１３（ｂ）は、図１に示す視野確認器を図１３（ａ）に示す炎感知器に取り付けた状態を示す斜視図である。
【図１４】図１に示す視野確認器により炎感知器の監視領域を確認する方法を示す模式的な図である。
【図１５】この発明の実施の形態２に係る視野確認器を示す斜視図である。
【図１６】図１５に示す視野確認器の正面図である。
【図１７】図１５に示す視野確認器の背面図である。
【図１８】図１５に示す視野確認器の側面図である。
【図１９】図１５に示す視野確認器の平面図である。
【図２０】図１５に示す視野確認器の底面図である。
【図２１】図１６に示す視野確認器を切断線Ｅ−Ｅで切断した状態を示す断面図である。
【発明を実施するための形態】
【００１０】
以下、この発明の実施の形態について添付図面に基づいて説明する。
実施の形態１．
図１〜７に示すように、視野確認器１００はベースプレート３０と、ベースプレート３０に回転可能に設けられるブラケット２０と、ブラケット２０に回動可能に支持される発光部１０とを有する。
ここで、ベースプレート３０は基部を構成する。
【００１１】
発光部１０は光源取付部１１と、光源取付部１１に着脱可能に取り付けられるレーザポインタ１２とを有する。光源取付部１１は、略円筒形状をなす円筒部分１１ａと、円筒部分１１ａの径方向外側に向かって突出する支持部分１１ｂとを有する。円筒部分１１ａには複数の固定ネジ１４が設けられる。ここで、円筒部分１１ａにはレーザポインタ１２が挿入され、固定ネジ１４を締め込むことでレーザポインタ１２を固定することができ、また、固定ネジ１４を緩めることによってレーザポインタ１２を光源取付部１１から取外すことができる。また、図７に示すように、支持部分１１ｂにはブラケット２０に向かって付勢される第一プランジャ１３が設けられている。さらに、支持部分１１ｂには第一接続部１６が突出して設けられ、ブラケット２０に形成される回動中心孔２３に嵌合される。第一プランジャ１３と第一接続部１６との距離をｒ１とする。
また、レーザポインタ１２の一端には直線的な光線を発する光源１２ａが設けられている。また、レーザポインタ１２には光源１２ａからの発光のＯＮとＯＦＦとを切り替えるスイッチ１２ｂが設けられる。
【００１２】
図８及び９に示すように、ブラケット２０は略Ｌ字状に屈折した形状をなし、発光部１０に接続される発光部支持部２０ａと、ベースプレート３０に接続されるベース取付部２０ｂとからなる。ここで、発光部支持部２０ａの端部近傍には、発光部１０の第一接続部と係合する回動中心孔２３が形成される。また、発光部支持部２０ａには３つの凹部２４ａ，２４ｂ，２４ｃが形成される。凹部２４ａ，２４ｂ，２４ｃは回動中心孔２３を中心にした半径ｒ１の円弧上に配置される。なお、この半径ｒ１は、発光部１０の第一プランジャ１３と第一接続部１６との距離ｒ１とほぼ同一である。また、図９（ａ）に示すように、回動中心孔２３に対する凹部２４ａの位置を原点位置とすると、凹部２４ｂは角度θ１だけ原点位置に対し離間した位置にあり、凹部２４ｃは角度θ２だけ原点位置に対し離間した位置にある。角度θ１と角度θ２とは互いに異なる角度であり、視野確認器１００を取付ける炎感知器の視野角度に応じて設定される。なお、原点位置である凹部２４ａは、図９（ａ）に示すように、ブラケット２０の発光部支持部２０ａの長手方向の中心線である切断線Ｃ−Ｃ上に位置するように配置される。
ここで、発光部１０の第一プランジャ１３とブラケット２０の凹部２４ａ，２４ｂ，２４ｃとは仮止め機構を構成する。
【００１３】
また、図９（ｃ）に示すように、ブラケット２０のベース取付部２０ｂには、ベースプレート３０に対向する側にプランジャ孔２１ａが形成され、図７に示される第二プランジャ２１が取り付けられる。第二プランジャ２１はベースプレート３０に対して付勢されている。また、ブラケット２０のベース取付部２０ｂには、ベースプレート３０に対向する側に第二接続部取付孔２６ａが形成され、図７に示される第二接続部２６が嵌合されて取り付けられる。なお、図７に示す第二プランジャ２１と第二接続部２６との距離はｒ２である。
【００１４】
図１０及び１１に示すように、ベースプレート３０の中央付近には、ブラケット２０の第二接続部２６が挿入される軸穴３２が形成される。また、ベースプレート３０には４つの凹部３３が形成される。４つの凹部３３は、軸穴３２を中心とする半径ｒ２の円周上に９０度ずつ離間して配置される。なお、この半径ｒ２は、第二プランジャ２１と第二接続部２６との距離ｒ２とほぼ同一である。すなわち、４つの凹部３３はブラケット２０の第二プランジャ２１と係合可能である。さらに、ベースプレート３０には一対の固定穴３１が形成される。
【００１５】
図１２に示すように、ブラケット２０の回動中心孔２３に挿入された第一接続部１６を中心に、視野確認器１００の発光部１０はブラケット２０に対して回動する。そして、第一プランジャ１３をブラケット２０の凹部２４ｂ又は凹部２４ｃに係合させることにより、発光部１０の傾斜角度を一時的に固定して位置合わせを行い、発光部１０はブラケット２０に対して仮止めされる（図７〜９参照）。また、ブラケット２０は、ベースプレート３０の軸穴３２に挿入された第二接続部２６を中心にベースプレート３０に対して回転する。そして、第二プランジャ２１をベースプレート３０の４つの凹部３３のいずれかに係合させることにより、ブラケット２０の位置が一時的に固定され、ブラケット２０はベースプレート３０に対して仮止めされる（図７，１０，１１参照）。
ここで、ブラケット２０の回転中心軸Ｒ１と発光部１０の回動中心軸Ｒ２とは直交し、互いに異なる方向に延びている。
【００１６】
次に、視野確認器１００の使用方法について、図１３及び１４を用いて説明する。
まず、視野確認器１００は、図１３（ａ）に示すような炎感知器１に、図１３（ｂ）に示すように、アタッチメント４０を介して一時的に取り付けられる。ここで、ベースプレート３０は、一対の固定穴３１に挿入されるボルトによってアタッチメント４０に取り付けられるとともに、炎感知器１の受光窓１ａに重なるように設けられる。ベースプレート３０はアタッチメント４０を介して炎感知器１に着脱可能である。なお、炎感知器１の受光窓１ａの内側には、図示しない受光素子が設けられている。ここで、視野確認器１００は、ブラケット２０の回転中心軸Ｒ１が炎感知器１の受光素子による監視範囲の中心軸Ｑに重なるように設けられる。さらにまた、炎感知器１の監視範囲の中心軸Ｑは、視野確認器１００の発光部１０が原点位置にある時、すなわち、第一プランジャ１３がブラケット２０の凹部２４ａに係合する時の光線の軌跡にも重なっている。
【００１７】
次に、炎感知器１の監視角度に合わせて発光部１０を回動させて、第一プランジャ１３をブラケット２０の凹部２４ｂ又は凹部２４ｃに係合させる。第一プランジャ１３を凹部２４ｂに係合させるか、凹部２４ｃに係合させるかは炎感知器１の種類、すなわち監視角度の違いによって決める。このようにして発光部１０を傾斜させた状態でブラケット２０に仮止めして位置合わせし、その次に、図１４に示すように、発光部１０をブラケット２０ごとベースプレート３０に対して回転させることで、発光部１０のレーザポインタ１２の光線は、炎感知器１の監視領域Ｓを照射する。これにより、炎感知器１の監視領域Ｓを視覚的に確認することができる。また、ブラケット２０の第二プランジャ２１をベースプレート３０の凹部３３に係合させることにより、ブラケット２０の位置を適宜仮止めし、発光部１０による照射の位置を一時的に固定させることもできる。さらに、発光部１０の第一プランジャ１３をブラケット２０の凹部２４ａに係合させることにより、発光部１０の光は炎感知器１の監視領域Ｓの中心Ｘを照射することができる。
【００１８】
以上より、この実施の形態１に係る視野確認器１００のブラケット２０には、炎感知器１の監視角度に応じた位置に凹部２４ｂ，２４ｃが形成される。また、発光部１０は、ブラケット２０に対して付勢されるとともに凹部２４ｂ，２４ｃに係合可能な第一プランジャ１３を有する。従って、ブラケット２０の凹部２４ｂ，２４ｃ及び発光部１０の第一プランジャ１３は、炎感知器１の監視角度に応じた向きに発光部１０を仮止めする仮止め機構として機能する。そのため、発光部１０の位置合わせが容易となる。
また、ブラケット２０には、原点位置としての凹部２４ａが形成されるため、発光部１０の第一プランジャ１３を凹部２４ａに係合させることにより、発光部１０から発せられる光線は炎感知器１の監視領域Ｓの中心Ｘを照射することができる。
また、凹部２４ｂ，２４ｃは、原点位置である凹部１４ａから各々異なる間隔で離間しているため、監視角度が異なる炎感知器１にも取り付けて使用することができる。
【００１９】
また、図１３（ｂ）に示すように、視野確認器１００のベースプレート３０はアタッチメント４０を介して炎感知器１に着脱可能に取り付けられる。そのため、炎感知器１を建物の構造から取り外さなくても、視野確認器１００を用いて容易に監視領域Ｓを確認することができる。
【００２０】
また、ブラケット２０の回転中心軸Ｒ１は炎感知器１の監視範囲の中心軸Ｑ及び監視領域Ｓの中心Ｘと一致するとともに、発光部１０の回動中心軸Ｒ２はブラケット２０の回転中心軸Ｒ１とは異なる方向に延びている。これにより、発光部１０から発せられる光線を適宜様々な方向に向けることができるとともに、位置をずらすことなく炎感知器１の監視領域Ｓを確実に照射して確認することができる。
【００２１】
実施の形態２．
この発明の実施の形態２に係る視野確認器２００の構成を図１５〜２１に示す。視野確認器２００は、図１３及び１４に示す視野確認器１００と同様に、炎感知器１に着脱可能に取り付けられるとともに、炎感知器１の監視領域Ｓを光線によって照射する視野確認器として機能する。なお、以下の説明において、図１〜１４の参照符号と同一の符号は同一又は同様の構成要素であるので、その詳細な説明は省略する。
【００２２】
視野確認器２００は、ベースプレート２３０と、ベースプレート２３０に回転可能に設けられるブラケット２２０と、ブラケット２２０に回動可能に設けられる発光部２１０とを有する。また、図１８に示すように、ブラケット２２０は、発光部２１０に接続する発光部支持部２２１と、ベースプレート２３０に接続するベース取付部２２２とを略Ｌ字形状に組み付けたものである。
ここで、ベースプレート２３０は基部を構成し、アタッチメントを介して炎感知器１に着脱可能であるものとする。
【００２３】
発光部２１０は光源取付部２１１と、光源取付部２１１に着脱可能に取り付けられるレーザポインタ１２とを有する。図２１に示すように、発光部２１０の光源取付部２１１は第三接続部２１４を介してブラケット２２０に回動可能に取り付けられる。ここで、図１７に示すように、ブラケット２２０の発光部支持部２２１には第三接続部２１４を中心に円弧を描くように形成された溝２２４が形成されている。また、発光部２１０には、溝２２４に挿通され外側に突出する第一ボルト２１３が固定されている。従って、第一ボルト２１３を溝２２４に沿って移動させることにより、発光部２１０はブラケット２２０に対して第三接続部２１４を中心に回動する。また、第一ボルト２１３を締め込むことにより、発光部２１０は一時的に位置を固定される。
ここで、第一ボルト２１３及び溝２２４は、仮止め機構を構成する。
また、溝２２４の両端部を各々、端部２２４ａ及び端部２２４ｂとする。
【００２４】
また、図１９に示すように、ベースプレート２３０には回転中心孔２３４が形成されるとともに、回転中心孔２３４を中心にして９０度ずつ離間して配置される３つの位置調整孔２３３が形成される。また、図２１に示すように、ブラケット２２０のベース取付部２２２には回転中心孔２３４に嵌合する第四接続部２２５が設けられる。さらに、ブラケット２２０のベース取付部２２２には、３つの位置調整孔２３３の各々と係合可能な第二ボルト２２３が設けられる。従って、ブラケット２２０は第四接続部２２５を中心にベースプレート２３０に対して回転可能である。また、第二ボルト２２３を３つの位置調整孔２３３の各々に係合させることにより、ブラケット２２０の位置をベースプレート２３０に一時的に固定することができる。
【００２５】
以上より、この実施の形態２に係る視野確認器２００では、発光部２１０の第一ボルト２１３をブラケット２２０の溝２２４の端部２２４ａ又は端部２２４ｂに当接させた状態で、第一ボルト２１３を締め込み、発光部２１０の向きを仮止めすることができる。なお、溝２２４の両端部２２４ａ，２２４ｂは、視野確認器１００の凹部２４ｂ，２４ｃと同様に、炎感知器１の監視角度に応じた位置に形成されているものとする。従って、ブラケット２２０の溝２２４及び発光部２１０の第一ボルト２１３は、炎感知器１の監視角度に応じた向きに発光部２１０を仮止めする仮止め機構として機能する。そのため、視野確認器１００と同様に、発光部２１０の位置合わせが容易となる。
【００２６】
実施の形態１及び２における発光視準機１００，２００は、詳細には説明しなかったが、作業者によって炎感知器１に取り付けられ、炎感知器１の監視領域の確認作業等が行われる。ここで、炎感知器１は作業者の直接手の届かない高所等に設置される場合もあることから、発光視準機１００又は２００の下部に支持棒を設けて、支持棒を介して、発光視準機１００又は２００の炎感知器１への着脱作業、炎感知器１の監視領域の確認作業等を作業者が行えるようにしてもよく、例えば、指示棒の下部側に遠隔操作部を設けるようにしてもよい。
【符号の説明】
【００２７】
１  炎感知器、１０，２１０  発光部、１３  第一プランジャ（仮止め機構）、２０，２２０  ブラケット、２４ａ，２４ｂ，２４ｃ  凹部（仮止め機構）、３０，２３０  ベースプレート（基部）、２１３  第一ボルト（仮止め機構）、２２４  溝（仮止め機構）、Ｒ１  ブラケットの回転中心軸、Ｒ２  発光部の回動中心軸、Ｓ  炎感知器の監視領域、Ｘ  監視領域の中心、１００，２００  視野確認器。
【図１】
2019133554.tif 000003
【図２】
2019133554.tif 000004
【図３】
2019133554.tif 000005
【図４】
2019133554.tif 000006
【図５】
2019133554.tif 000007
【図６】
2019133554.tif 000008
【図７】
2019133554.tif 000009
【図８】
2019133554.tif 000010
【図９】
2019133554.tif 000011
【図１０】
2019133554.tif 000012
【図１１】
2019133554.tif 000013
【図１２】
2019133554.tif 000014
【図１３】
2019133554.tif 000015
【図１４】
2019133554.tif 000016
【図１５】
2019133554.tif 000017
【図１６】
2019133554.tif 000018
【図１７】
2019133554.tif 000019
【図１８】
2019133554.tif 000020
【図１９】
2019133554.tif 000021
【図２０】
2019133554.tif 000022
【図２１】
2019133554.tif 000023